(57)【要約】【課題】ＩＣカードに関する試験の効率化を図ることを目的とする。【解決手段】ＩＣカードよりＩＣカード内データを読み取る読み取り手段と、読み取り手段が読み取ったＩＣカード内データを保存する保存手段と、保存手段に保存されているＩＣカード内データに基づいて、ＩＣカードを識別する識別情報と同じ識別情報を有するＩＣカードを発行するＩＣカード発行手段と、を有することによって課題を解決する。【選択図】図１
2008225890.tif 000002
【特許請求の範囲】
【請求項１】
ＩＣカードよりＩＣカード内データを読み取る読み取り手段と、
前記読み取り手段が読み取ったＩＣカード内データを保存する保存手段と、
前記保存手段に保存されている前記ＩＣカード内データに基づいて、前記ＩＣカードを識別する識別情報と同じ識別情報を有するＩＣカードを発行するＩＣカード発行手段と、
を有することを特徴とするデータ伝送システム。
【請求項２】
ＩＣカードよりデータを読み取る読み取り手段と、
前記読み取り手段が読み取ったデータを保存する保存手段と、
前記保存手段に保存されている前記データに基づいて、前記ＩＣカードとはＩＣカードを識別する識別情報の異なる他のＩＣカードにデータを書き込む書き込み手段と、
前記読み取り手段がデータを読み取った前記ＩＣカードを識別する第一識別情報と、前記書き込み手段がデータを書き込んだ前記他のＩＣカードを識別する第二識別情報と、を関連付ける関連付け手段と、
を有することを特徴とするデータ伝送システム。
【請求項３】
データに含まれる、前記関連付け手段において関連付けられている前記第一識別情報を前記第二識別情報に、又は前記第二識別情報を前記第一識別情報に変換する変換手段を更に有することを特徴とする請求項２に記載のデータ伝送システム。
【請求項４】
ＩＣカードの状態を管理する状態管理手段を更に有することを特徴とする請求項１乃至３の何れか１項に記載のデータ伝送システム。
【請求項５】
前記状態管理手段が管理しているＩＣカードの状態を表示する表示手段を更に有することを特徴とする請求項４に記載のデータ伝送システム。
【請求項６】
データ伝送システムにおけるデータ伝送方法であって、
ＩＣカードよりＩＣカード内データを読み取る読み取りステップと、
前記読み取りステップにおいて読み取ったＩＣカード内データを記憶手段に保存する保存ステップと、
前記記憶手段に保存されている前記ＩＣカード内データに基づいて、前記ＩＣカードを識別する識別情報と同じ識別情報を有するＩＣカードを発行するＩＣカード発行ステップと、
を有することを特徴とするデータ伝送方法。
【請求項７】
データ伝送システムにおけるデータ伝送方法であって、
ＩＣカードよりデータを読み取る読み取りステップと、
前記読み取りステップにおいて読み取ったデータを記憶手段に保存する保存ステップと、
前記記憶手段に保存されている前記データに基づいて、前記ＩＣカードとはＩＣカードを識別する識別情報の異なる他のＩＣカードにデータを書き込む書き込みステップと、
前記読み取りステップにおいてデータを読み取った前記ＩＣカードを識別する第一識別情報と、前記書き込みステップにおいてデータを書き込んだ前記他のＩＣカードを識別する第二識別情報と、を関連付ける関連付けステップと、
を有することを特徴とするデータ伝送方法。
【発明の詳細な説明】
【技術分野】
【０００１】
本発明は、データ伝送システム及びデータ伝送方法に関する。
【背景技術】
【０００２】
従来、ＩＣカードに関する事業者間相互利用の試験は、実媒体を実際の試験会場間で往復させて実機で処理させる方法で行われている。例えば、一方の事業者の試験会場で駅務機器とＩＣカードとでデータの授受（データ処理）を行わせ、このＩＣカードをもう一方の事業者の試験会場まで輸送して、この試験会場に設置されている前記もう一方の事業者に関する駅務機器とデータの授受が正常に行えるか確認している。そして、再び元の試験会場までＩＣカードを輸送して元の試験会場の駅務機器で正常にデータの授受が行えるか確認している。
【０００３】
【特許文献１】特開２００４−３０２３７号公報
【発明の開示】
【発明が解決しようとする課題】
【０００４】
しかしながら上述したような試験方法の場合、実媒体（実際のＩＣカード自体）を試験会場から持ち出すため、盗難や紛失の可能性がある。また、実媒体の輸送や輸送に伴う作業が発生すると共に輸送に時間がかかり、試験の長期化等をもたらしている。また、ＩＣカードに関して相互利用を行う事業者が増えると更なる作業の増大化や、試験の長期化等が考えられる。
【０００５】
本発明はこのような問題点に鑑みなされたもので、ＩＣカードに関する試験の効率化を図ることを目的とする。
【課題を解決するための手段】
【０００６】
そこで、本発明は、ＩＣカードよりＩＣカード内データを読み取る読み取り手段と、前記読み取り手段が読み取ったＩＣカード内データを保存する保存手段と、前記保存手段に保存されている前記ＩＣカード内データに基づいて、前記ＩＣカードを識別する識別情報と同じ識別情報を有するＩＣカードを発行するＩＣカード発行手段と、を有することを特徴とする。
【０００７】
係る構成とすることにより、例えば、第一の試験会場側で読み取り手段がＩＣカードよりＩＣカード内データを読み取って、保存手段が前記ＩＣカード内データを保存し、第二の試験会場側でＩＣカード発行手段が保存手段で保存されているＩＣカード内データに基づいて、前記ＩＣカードを識別する識別情報と同じ識別情報を有するＩＣカードを発行するので、ＩＣカードを直接輸送しなくても、第二の試験会場側において発行されたＩＣカードを用いて、あたかも同じＩＣカードを用いて事業者間相互利用に関する一連の試験を行っているかのように、試験を行うことができる。よって、ＩＣカードに関する試験の効率化を図ることができる。また、実媒体を試験会場から持ち出す必要がないため、盗難や紛失の恐れがない。
【０００８】
なお、読み取り手段とは、例えば、後述するＩＣカード読み取り・書き込み装置２、又は読み取り制御部４２等に対応する。また、保存手段は、例えば、後述するデータサーバ１、又は保存部５３等に対応する。また、ＩＣカード発行手段は、例えば、後述するＩＣカード読み取り・書き込み装置２、又は書き込み制御部４３等に対応する。
【０００９】
また本発明は、ＩＣカードよりデータを読み取る読み取り手段と、前記読み取り手段が読み取ったデータを保存する保存手段と、前記保存手段に保存されている前記データに基づいて、前記ＩＣカードとはＩＣカードを識別する識別情報の異なる他のＩＣカードにデータを書き込む書き込み手段と、前記読み取り手段がデータを読み取った前記ＩＣカードを識別する第一識別情報と、前記書き込み手段がデータを書き込んだ前記他のＩＣカードを識別する第二識別情報と、を関連付ける関連付け手段と、を有することを特徴とする。
【００１０】
係る構成とすることにより、例えば、第一の試験会場側で読み取り手段がＩＣカード（第一のＩＣカード）よりデータを読み取って、保存手段が前記内データを保存し、第二の試験会場側で書き込み手段が第一のＩＣカードとは異なる識別情報を有する他のＩＣカード（第二のＩＣカード）に前記データを書き込むので、ＩＣカードを直接輸送しなくても、第二のＩＣカードを用いて、第二の試験会場において試験を行うことができる。また、関連付け手段が、第一のＩＣカードを識別する第一識別情報と、第二のＩＣカードを識別する第二識別情報と、を関連付けるので、ＩＣカードの識別情報が異なるＩＣカードを用いて事業者間相互利用に関する一連の試験を行っても、例えば試験毎に又は一連の試験後に各会場でのＩＣカードに対するデータの読み書きに関するデータ（試験の結果等）を関連付けることによって、同じＩＣカードを用いて行ったのと同じ試験結果を得ることができる。よって、ＩＣカードに関する試験の効率化を図ることができる。また、実媒体を試験会場から持ち出す必要がないため、盗難や紛失の恐れがない。
【００１１】
なお、関連付け手段とは、例えば、後述するデータサーバ１、又はＩＤ変換サーバ６、又は関連付け管理部７２等に対応する。
【００１２】
また、本発明は、データ伝送方法としてもよい。
【発明の効果】
【００１３】
本発明によれば、ＩＣカードに関する試験の効率化を図ることができる。
【発明を実施するための最良の形態】
【００１４】
以下、本発明の実施形態について図面に基づいて説明する。
【００１５】
＜実施形態１＞
図１は、実施形態１におけるデータ伝送システムのシステム構成の一例を示す図である。図１に示されるように、データ伝送システムは、試験会場Ａ側に、実機である駅務機器３Aと、ＩＣカード読み取り・書き込み装置２Aと、データサーバ１と、ＩＤ管理サーバ４Aと、を含み、試験会場Ｂ側に、実機である駅務機器３Bと、ＩＣカード読み取り・書き込み装置２Bと、ＩＤ管理サーバ４Bと、を含む。なお、各試験会場間は専用回線で接続されていてもよいし、ＶＰＮ（Ｖｉｒｔｕａｌ  Ｐｒａｉｖａｔｅ  Ｎｅｔｗｏｒｋ）等の仮想専用回線で接続されていてもよい。
【００１６】
ここで、駅務機器とは、例えば、ＩＣ自動券売機、ＩＣ自動精算機、ＩＣ定期券販売機、ＩＣカード販売機、ＩＣ窓口精算機、ＩＣ改造改札機、ＩＣ自動改札機、簡易Ｓｕｉｃａ（登録商標）改札機等の駅務機能を提供する機器である。なお、図１の例では、ＩＣ自動改札機を駅務機器の一例として図示している。
【００１７】
試験会場Ａでは、駅務機器３A及びＩＣカード５A等を用いて、駅務機能に関する試験等を行う。試験に伴い、駅務機器３AがＩＣカード５Aより読み取ったデータ（情報）や、書き込んだデータ（情報）は、各ＩＣカードを識別するカードＩＤと共に駅務機器３Aより、ＩＤ管理サーバ４Aに送信される。ＩＤ管理サーバ４Aは、各ＩＣカードを識別するカードＩＤ毎に、どの駅務機器がどのようなデータをＩＣカードより読み取ったのか、どの駅務機器がどのようなデータをＩＣカードに書き込んだのか等のデータを保持、管理する。
【００１８】
ＩＣカード読み取り・書き込み装置２Aは、ＩＣカード５Aより、データ（以下、ＩＣカード内データ）を読み取り、読み取ったＩＣカード内データをデータサーバ１に送信する。
ここで、ＩＣカード５Aのメモリは、切符の種類を識別する識別子を設定するための券種エリアと、ＳＦ（ストアードフェア）エリアと、定期券エリアと、乗車履歴エリアと、を含むよう構成されている。そして、券種エリアには定期券、ＳＦ券、複合券等を識別する識別子が記録される。ＳＦエリアには、購入金額（又は購入金額＋入金金額）から、使用金額を差し引いた残金データが記録される。また、定期券エリアには、定期券として有効な区間データと、定期券として有効な期間データとが記録される。また、乗車履歴エリアには、タイムシーケンスに、順次、入場、出場のデータと、同時に入場又は出場した駅名及び時刻（以下、乗車履歴情報という）が記録される。なお、これらのデータ（又は情報）の記録は、駅務機器によって行われる。上述したＩＣカード内データには、このような各エリアに記憶されているデータと共に、ＩＣカードを識別するカードＩＤが含まれる。
【００１９】
データサーバ１は、ＩＣカード読み取り・書き込み装置２AよりＩＣカード内データを受け取ると、メモリ等にＩＣカード内データを例えば、ＩＣカードを識別するカードＩＤ毎に保存（又は一時保存）する。また、データサーバ１は、ＩＣカードの状態（ステータス）も管理する。ステータスとしては、例えば、ＩＣカードが、試験会場Ａにあるか、試験会場Ｂにあるか、ネットワーク上にあるか等がある。
【００２０】
データサーバ１は、受け取ったＩＣカード内データ（又は受け取ったＩＣカード内データのコピー）を、ＩＣカード読み取り・書き込み装置２Bからの転送要求に応じて、ＩＣカード読み取り・書き込み装置２Bに送信（伝送又は転送）する。ＩＣカード読み取り・書き込み装置２Bは、データサーバ１より受け取ったＩＣカード内データに基づいて、前記ＩＣカード内データを、ＩＣカード（ＩＣカード５B）に書き込むことによって、前記ＩＣカード内データに含まれるカードＩＤと同一のカードＩＤのＩＣカードを発行する。
【００２１】
試験会場Ｂでは、駅務機器３B及びＩＣカード５B等を用いて、駅務機能に関する試験等を行う。試験に伴い、駅務機器３BがＩＣカード５Bより読み取ったデータや、書き込んだデータは、ＩＣカードを識別するカードＩＤと共に駅務機器３Bより、ＩＤ管理サーバ４Bに送信される。ＩＤ管理サーバ４Bは、ＩＣカードを識別するカードＩＤ毎に、どの駅務機器がどのようなデータをＩＣカードより読み取ったのか、どの駅務機器がどのようなデータをＩＣカードに書き込んだのか等のデータを保持、管理する。
【００２２】
ここで、上述したように試験会場Ｂでは試験会場ＡのＩＣカードと同じカードＩＤのＩＣカードを発行している。そのため、ＩＤ管理サーバ４Aと、ＩＤ管理サーバ４Bとは、同じカードＩＤで、各々の試験会場でのデータの読み書きに関するデータ（又は試験結果）等を管理することになる。したがって、試験者（又は事業者）は、あたかも同じＩＣカードを用いて事業者間相互利用に関する一連の試験を行っているかのように、試験を行うことができる。よって、ＩＣカードに関する試験の効率化を図ることができる。
【００２３】
なお、図１では、データサーバ１は、試験会場Ａに存在するものとして説明を行っているが、このことは本実施の形態を制限するものではない。データサーバ１は、試験会場Ｂに存在していてもよいし、試験会場Ａと試験会場Ｂとの間に存在していてもよい。
【００２４】
図２は、データサーバ１のハードウェア構成の一例を示す図である。図２に示されるように、データサーバ１は、ハードウェア構成として、ＲＯＭ（Ｒｅａｄ  Ｏｎｌｙ  Ｍｅｍｏｒｙ）１０と、ＲＡＭ（Ｒａｎｄｏｍ  Ａｃｃｅｓｓ  Ｍｅｍｏｒｙ）１１と、ＨＤ（Ｈａｒｄ  Ｄｉｓｋ）１２と、ＣＰＵ（Ｃｅｎｔｒａｌ  Ｐｒｏｃｅｓｓｉｎｇ  Ｕｎｉｔ）１３と、通信装置１４と、を含む。
【００２５】
通信装置１４は、データサーバ１をＩＣカード読み取り・書き込み装置２（又はネットワーク）等に接続する接続装置である。後述する図５に示すような機能を実現するプログラムは、例えば、ＣＤ−ＲＯＭ等の記録媒体によってデータサーバ１に提供されるか、ネットワーク等を通じてダウンロードされる。記録媒体は、記録媒体ドライブ装置（図示せず）にセットされ、プログラムが記録媒体から記録媒体ドライブ装置を介してＨＤ１２等にインストールされる。なお、前記プログラムは予めＨＤ１２等にインストールされていてもよい。
【００２６】
ＲＯＭ１０は、データサーバ１の電源投入時に最初に読み込まれるプログラム等を記録する。ＲＡＭ１１は、データサーバ１のメインメモリである。ＣＰＵ１３は、必要に応じて、ＨＤ１２よりプログラムを読み出して、ＲＡＭ１１に格納し、プログラムを実行することで、後述するデータ管理処理や、状態管理処理等を行う。
【００２７】
ＨＤ１２は、プログラム以外に、ＩＣカード読み取り・書き込み装置２より受け取ったＩＣカード内データや、ＩＣカードの状態（ステータス）情報等も記憶する。なお、データサーバ１は、後述するＩＣカード読み取り・書き込み装置のように、入力装置や、表示装置をハードウェア構成として含んでいてもよい。
【００２８】
ここで、ＩＤ管理サーバ４のハードウェア構成も、図２に示したデータサーバ１のハードウェア構成と同様である。ＩＤ管理サーバ４のＣＰＵが、ＩＤ管理サーバ４のＨＤ等に記憶されている（又はインストールされている）後述する図７に示すような機能を実現するプログラムを読み出して、実行することで、対応する管理範囲内（試験会場内等）のＩＣカード５のカードＩＤに応じて、ＩＣカード５と駅務機器３とでのデータの読み書き等に関する情報を管理する。
【００２９】
図３は、ＩＣカード読み取り・書き込み装置のハードウェア構成の一例を示す図である。図３に示されるように、ＩＣカード読み取り・書き込み装置２は、ハードウェア構成として、ＲＯＭ２０と、ＲＡＭ２１と、ＨＤ２２と、ＣＰＵ２３と、表示装置２４と、入力装置２５と、アンテナ２６と、ＩＣカードリーダ／ライタ２７と、通信装置２８と、を含む。
【００３０】
入力装置２５は、ＩＣカード読み取り・書き込み装置２の操作者等が操作するキーボード及びマウス等で構成され、ＩＣカード読み取り・書き込み装置２に各種操作情報等を入力するのに用いられる。表示装置２４は、ＩＣカード読み取り・書き込み装置２の操作者等が利用するディスプレイ等で構成され、各種情報（又は画面）等を表示するのに用いられる。
【００３１】
通信装置２８は、ＩＣカード読み取り・書き込み装置２をデータサーバ１（又はネットワーク等）に接続する接続装置である。後述する図６に示すような機能を実現するプログラムは、例えば、ＣＤ−ＲＯＭ等の記録媒体によってＩＣカード読み取り・書き込み装置２に提供されるか、ネットワーク等を通じてダウンロードされる。記録媒体は、記録媒体ドライブ装置（図示せず）にセットされ、プログラムが記録媒体から記録媒体ドライブ装置を介してＨＤ２２にインストールされる。なお、前記プログラムは予めＨＤ２２等にインストールされていてもよい。
【００３２】
ＲＯＭ２０は、ＩＣカード読み取り・書き込み装置２の電源投入時に最初に読み込まれるプログラム等を記録する。ＲＡＭ２１は、ＩＣカード読み取り・書き込み装置２のメインメモリである。ＣＰＵ２３は、必要に応じて、ＨＤ２２よりプログラムを読み出して、ＲＡＭ２１に格納し、プログラムを実行することで、後述する機能の全て又は一部を提供する。
【００３３】
アンテナ２６は、ＩＣを含むＩＣカード５と無線通信する。ＩＣカードリーダ／ライタ２７は、アンテナ２６を介してＩＣカード５のデータの読み取り及び／又は書き込みを行う。なお、ＩＣカードリーダ／ライタ２７によって読み取られたＩＣカード内データは、ＲＡＭ２１に格納されてもよいし、ＨＤ２２に格納されてもよい。
【００３４】
なお、本実施形態では、ＩＣカード読み取り・書き込み装置２は、ＰＣ（Ｐｅｒｓｏｎａｌ  Ｃｏｍｐｕｔｅｒ）等を想定し、アンテナ２６及びＩＣカードリーダ／ライタ２７は、ＰＣに組み込まれているものとしている。但し、このことは本実施の形態を制限するものではなく、アンテナ２６及びＩＣカードリーダ／ライタ２７は、ＰＣ等の周辺機器であるＩＣカードリーダ／ライタ等を用いてもよい。
【００３５】
図４は、駅務機器（自動改札機）３のハードウェア構成の一例を示す図である。図４に示されるように、駅務機器３は、ハードウェアとして、ＲＯＭ３０と、ＲＡＭ３１と、ＣＰＵ３２と、表示装置３３と、アンテナ３４と、ＩＣカードリーダ／ライタ３５と、通信装置３６と、を含む。
【００３６】
ＲＯＭ３０には、後述する図７に示すような機能を実現するプログラムの他、駅務機器３の全体の動作を制御するプログラムが格納されている。ＣＰＵ３２は、必要に応じて、ＲＯＭ３０よりプログラムを読み出して、ＲＡＭ３１に記憶させ、そのプログラムを実行することによって、ＩＣカード５より読み取った及び／又はＩＣカード５に書き込んだデータのＩＤ管理サーバ４への送信処理等を行う。なお、駅務機器３は、ＩＣカード５より読み取った及び／又はＩＣカード５に書き込むデータを、例えばＲＡＭ３１に保持（又は記憶）する。
【００３７】
表示装置３３は、駅務処理に関する画面等を表示する。アンテナ３４は、ＩＣを含むＩＣカードと無線通信する。ＩＣカードリーダ／ライタ３５は、アンテナ３４を介してＩＣカード５のデータの読み取り及び／又は書き込みを行う。
【００３８】
通信装置３６は、駅務機器３をＩＤ管理サーバ４（又はネットワーク等）に接続する接続装置である。
【００３９】
次に、ＣＰＵ１３、ＲＯＭ１０、ＲＡＭ１１、ＨＤ１２及びプログラム等から構成される、データサーバ１の機能構成の一例を、図５に示す。図５は、データサーバの機能構成の一例を示す図である。
【００４０】
図５に示されるように、データサーバ１は、機能構成として、通信制御部５１と、データ管理部５２と、保存部５３と、状態管理部５４と、を含む。通信制御部５１は、通信装置１４を介しての他の装置（又はネットワーク）等との通信を制御し、ＩＣカード内データを受信したり、ＩＣカード内データを送信したりする。
【００４１】
保存部５３は、通信制御部５１を介して受け取ったＩＣカード内データをカードＩＤ毎にＨＤ１２に保存したり、カードＩＤ毎にＨＤ１２に保存してあるＩＣカード内データをカードＩＤに応じてＨＤ１２より取得し、通信制御部５１に渡したりする。
【００４２】
データ管理部５２は、保存部５３に保存されているＩＣカード内データを管理し、例えば、カードＩＤに基づいて、ＩＣカード内データの履歴（履歴情報）を管理する。データ管理部５２は、例えば、カードＩＤ毎に
・試験会場ＡにおいてＩＣカード読み取り・書き込み装置２Aにおいて読み込まれ、データサーバ１に保存されたＩＣカード内データ
・試験会場ＢにおいてＩＣカード読み取り・書き込み装置２Bにおいて読み込まれ、データサーバ１に保存されたＩＣカード内データ
・再び試験会場ＡにおいてＩＣカード読み取り・書き込み装置２Aにおいて読み込まれ、データサーバ１に保存されたＩＣカード内データ
・
・
・
等をＩＣカード内データの履歴（履歴情報）として管理する。
【００４３】
状態管理部５４は、カードＩＤ毎にＩＣカード５のステータス情報を管理する。上述したように、ステータスとしては、例えば、試験会場Ａにあるか、試験会場Ｂにあるか、ネットワーク上にあるか等がある。
【００４４】
状態管理部５４は、例えば、該当するカードＩＤに対応するカード内データがＩＣカード読み取り・書き込み装置２Aより送信され、データサーバ１に保存されており、そのコピー等がまだＩＣカード読み取り・書き込み装置２Bに送信されていない場合は、このカードＩＤに対応するＩＣカード５のステータスをネットワーク上とする。
【００４５】
一方、状態管理部５４は、例えば、該当するカードＩＤに対応するカード内データがＩＣカード読み取り・書き込み装置２Aより送信され、データサーバ１に保存されているが既にそのコピー等がＩＣカード読み取り・書き込み装置２Bに送信され、また、ＩＣカード読み取り・書き込み装置２Bより同一のカードＩＤのＩＣカードを発行した旨の情報を受け取ると、このカードＩＤに対応するＩＣカード５のステータスを試験会場Ｂとする。なお、初期値としてのステータスは、管理者等がデータサーバの入力装置等を用いて設定するようにしてもよい。
【００４６】
また、状態管理部５４は、通信制御部５１等を介してＩＣカード読み取り・書き込み装置２等よりカードＩＤを含む、ステータスの確認要求を受け取ると、前記カードＩＤに対応するＩＣカードの状態を、通信制御部５１等を介して要求元のＩＣカード読み取り・書き込み装置２等に返す処理を行う。
【００４７】
次に、ＣＰＵ２３、ＲＯＭ２０、ＲＡＭ２１、ＨＤ２２及びプログラム等から構成される、ＩＣカード読み取り・書き込み装置２の機能構成の一例を、図６に示す。図６は、ＩＣカード読み取り・書き込み装置の機能構成の一例を示す図である。
【００４８】
図６に示されるように、ＩＣカード読み取り・書き込み装置２は、機能構成として、通信制御部４１と、読み取り制御部４２と、書き込み制御部（ＩＣカード発行部）４３と、表示制御部４４と、を含む。通信制御部４１は、通信装置２８を介しての他の装置（又はネットワーク）等との通信を制御し、例えば、ＩＣカード内データを受信したり、ＩＣカード内データを送信したりする。
【００４９】
読み取り制御部４２は、アンテナ２６及びＩＣカードリーダ／ライタ２７を介してＩＣカード読み取り・書き込み装置２の読み取り部（アンテナ２６等）にかざされたＩＣカード５からＩＣカード内データを読み取る。また、読み取り制御部４２は、ＩＣカード５より読み取ったＩＣカード内データを通信制御部４１に渡す。通信制御部４１は、読み取り制御部４２よりＩＣカード内データを受け取ると、上述したように、例えば、データサーバ１に送信する。
【００５０】
書き込み制御部４３は、通信制御部４１を介してデータサーバ１より受信したカード内データを受け取ると、アンテナ２６及びＩＣカードリーダ／ライタ２７を介してＩＣカード読み取り・書き込み装置２の読み取り部（アンテナ２６等）にかざされたＩＣカード５にＩＣカード内データ（含むカードＩＤ）を書き込む。
【００５１】
表示制御部４４は、ユーザ等の操作に応じて、通信制御部４１等を介して、カードＩＤを含む、状態の確認要求をデータサーバ１に送信し、前記確認要求に対応する状態を、通信制御部４１等を介してデータサーバ１より受け取ると、表示装置２４等にカードＩＤに対応するＩＣカードの状態を表示する。
【００５２】
次に、ＩＤ管理サーバ４のＣＰＵ、ＲＯＭ、ＲＡＭ、ＨＤ及びプログラム等から構成される、ＩＤ管理サーバ４の機能構成の一例を、図７に示す。図７は、ＩＤ管理サーバの機能構成の一例を示す図である。
【００５３】
図７に示されるように、ＩＤ管理サーバ４は、機能構成として、通信制御部６１と、ＩＤ管理部６２と、を含む。通信制御部６１は、ＩＤ管理サーバ４の通信装置を介しての他の装置（又はネットワーク）等との通信を制御し、駅務機器３がＩＣカード５より読み取ったデータ及び／又は駅務機器３がＩＣカード５に書き込んだデータを受信する。
【００５４】
ＩＤ管理部６２は、通信制御部６１が受信したデータを、カードＩＤ毎にＩＤ管理サーバ４のＨＤ等に格納し、管理する。
【００５５】
以下、実施形態１のデータ伝送システムにおける処理シーケンスの一例を、図８を用いて説明する。図８は、実施形態１のデータ伝送システムにおける処理シーケンスの一例を示す図である。
シーケンスＳＱ１において、駅務機器３Aは、ＩＣカード５Aと通信を行い、駅務処理に関して（又は事業者間相互利用に関する試験に関して）、データの読み取り及び／又は書き込みを行う。なお、図８では、駅務機器３Aと、ＩＣカード５Aとの通信は１回のように記載しているが、試験に応じて、複数回実施されてもよいし、駅務機器も１つではなく種類の異なる複数の駅務機器であってもよい。
【００５６】
シーケンスＳＱ２において、駅務機器３Aは、ＩＣカード５Aに書き込んだデータ及び／又はＩＣカード５Aより読み込んだデータをＩＤ管理サーバ４Aに送信する。ＩＤ管理サーバ４AのＩＤ管理部６２は、上述したようにカードＩＤ毎に駅務機器３AがＩＣカード５Aより読み取ったデータ及び／又は駅務機器３AがＩＣカード５Aに書き込んだデータを管理する。
【００５７】
また、シーケンスＳＱ３において、ＩＣカード読み取り・書き込み装置２Aは、読み取り部にかざされたＩＣカード５AからＩＣカード内データを読み取る。続いて、シーケンスＳＱ４において、ＩＣカード読み取り・書き込み装置２Aは、ＩＣカード５Aから読み取ったＩＣカード内データをデータサーバ１に送信する。
データサーバ１は、ＩＣカード読み取り・書き込み装置２AよりＩＣカード内データを受信すると、カードＩＤ（例えばカードＩＤ「０００１」）に基づいてＩＣカード内データを保持（管理）する。なお、初期設定としてカードＩＤ「０００１」の状態が「試験会場Ａ」に設定されていた場合、データサーバ１は、ＩＣカード読み取り・書き込み装置２AよりカードＩＤ「０００１」のＩＣカード内データを受信し、保存したときに、カードＩＤ「０００１」のステータスを「試験会場Ａ」から「ネットワーク上」に変更する。
【００５８】
シーケンスＳＱ５において、データサーバ１は、ＩＣカード読み取り・書き込み装置２Bより、ＩＣカード内データの転送要求を受信する。なお、前記転送要求には、カードＩＤを識別する識別情報が含まれているものとする。
【００５９】
シーケンスＳＱ６において、データサーバ１は、前記転送要求を受信すると、転送要求に含まれるカードＩＤ（例えばカードＩＤ「０００１」）に基づいて、このカードＩＤに対応するＩＣカード内データ（又はこのＩＣカード内データのコピー等）を、要求元のＩＣカード読み取り・書き込み装置２Bに送信する。
【００６０】
シーケンスＳＱ７において、ＩＣカード読み取り・書き込み装置２Bは、データサーバ１よりＩＣカード内データを受信すると、受信した旨のレスポンスをデータサーバ１に送信する。
【００６１】
シーケンスＳＱ８において、データサーバ１は、ＩＣカード読み取り・書き込み装置２Aに対して、ＩＣカード５Aのカード内データを消去する旨の指示（又は要求）を送信する。なお、シーケンスＳＱ８の処理は、シーケンスＳＱ６の前に行われてもよい。
【００６２】
シーケンスＳＱ９において、ＩＣカード読み取り・書き込み装置２Aは、データサーバ１よりＩＣカード５Aのカード内データを消去する旨の指示（又は要求）を受信すると、ＩＣカード５Ａに対して０（ゼロ）又はＮＵＬＬのデータを書き込んでＩＣカード５A内のデータを消去し、ＩＣカード５Aを使用できないようにする。
【００６３】
シーケンスＳＱ１０において、ＩＣカード読み取り・書き込み装置２Aは、データサーバ１に対して、ＩＣカード５A内のデータを消去した旨の情報を送信する。
シーケンスＳＱ１１において、データサーバ１は、ＩＣカード５A内のデータを消去した旨の情報をＩＣカード読み取り・書き込み装置２Aより受信すると、ＩＣカード読み取り・書き込み装置２Bに対して、カードの発行を許可する旨の指示を送信する。
【００６４】
シーケンスＳＱ１２において、ＩＣカード読み取り・書き込み装置２Bは、データサーバ１よりカードの発行を許可する旨の指示を受信し、読み取り部にＩＣカード５Bがかざされると、シーケンスＳＱ６でデータサーバ１より受信し、保持していたＩＣカード内データをＩＣカード５Bに書き込む（強制的に上書きする）。
なお、ＩＣカード読み取り・書き込み装置２Bは、前記ＩＣカード内データを書き込むと共に、前記ＩＣカード内データを書き込んだＩＣカード５Bの券面にＩＣカード５Aを識別するカードＩＤを印字するようにしてもよい。このようにすることによって、見た目にも同じカードＩＤのＩＣカードで試験を継続していることがわかる。
上述したように、ＩＣカード内データにはＩＣカードを識別するカードＩＤが含まれており、ＩＣカード５Bには、ＩＣカード５Aを識別するカードＩＤが書き込まれることになる。よって、あたかも実媒体が試験会場Ａから試験会場Ｂに輸送等されたと同様、試験会場Ｂでは、ＩＣカード５Bを用いて、例えば、事業者間相互利用に関する一連の試験を行うことができる。よって、ＩＣカードに関する試験の効率化を図ることができる。
【００６５】
シーケンスＳＱ１３において、ＩＣカード読み取り・書き込み装置２Bは、ＩＣカード内データをＩＣカード５Bに書き込むと、書き込みが終了した旨の情報（カードの発行が終了した旨の情報）をデータサーバ１に送信する。
データサーバ１は、ＩＣカード読み取り・書き込み装置２Bより書き込みが終了した旨の情報（カードの発行が終了した旨の情報）を受信すると、例えばカードＩＤ「０００１」のステータスを「ネットワーク上」から「試験会場Ｂ」に変更する。
【００６６】
シーケンスＳＱ１４において、駅務機器３Bは、ＩＣカード５Bと通信を行い、駅務処理に関して（又は事業者間相互利用に関する試験に関して）、データの読み取り及び／又は書き込みを行う。なお、図８では、駅務機器３Bと、ＩＣカード５Bとの通信は１回のように記載しているが、試験に応じて、複数回実施されてもよいし、駅務機器も１つではなく種類の異なる複数の駅務機器であってもよい。
【００６７】
シーケンスＳＱ１５において、駅務機器３Bは、ＩＣカード５Bに書き込んだデータ及び／又はＩＣカード５Bより読み込んだデータをＩＤ管理サーバ４Bに送信する。ＩＤ管理サーバ４BのＩＤ管理部６２は、上述したようにカードＩＤ毎に駅務機器３BがＩＣカード５Bより読み取ったデータ及び／又は駅務機器３BがＩＣカード５Bに書き込んだデータを管理する。
【００６８】
ＩＤ管理サーバ４Aは、例えばカードＩＤ「０００１」で駅務機器３AがＩＣカード５Aより読み取ったデータ及び／又は駅務機器３AがＩＣカード５Aに書き込んだデータを管理している。同様にＩＤ管理サーバ４Bも、例えばカードＩＤ「０００１」で駅務機器３BがＩＣカード５Bより読み取ったデータ及び／又は駅務機器３BがＩＣカード５Bに書き込んだデータを管理している。
【００６９】
したがって、例えばシーケンスＳＱ１６において、ＩＤ管理サーバ４Bが、カードＩＤ「０００１」に基づいてカードＩＤ「０００１」で識別されるＩＣカードに対する試験会場Ｂでの読み書きに関するデータをＩＤ管理サーバ４Aに送信しても、ＩＤ管理サーバ４Aにおいても同じカードＩＤ「０００１」に基づいてカードＩＤ「０００１」で識別されるＩＣカードに対する試験会場Ａでの読み書きに関するデータを管理している。そのため、例えばＩＤ管理サーバ４A等においてこれら二つのデータを合わせて、事業者間相互利用に関する一連の試験の試験結果とすることもできる。よって、ＩＣカードに関する試験の効率化を図ることができる。
【００７０】
＜実施形態２＞
実施形態１では、試験会場Ｂ側において、試験会場Ａ側で用いられていたＩＣカード５のカードＩＤ（例えば、カードＩＤ「０００１」）と同じカードＩＤを有するＩＣカード５を発行して事業者間相互利用に関する一連の試験を行う例を用いて説明を行った。本実施形態では、試験会場Ａ側と試験会場Ｂ側とでは異なるカードＩＤのＩＣカード５を用いて事業者間相互利用に関する一連の試験を行うが、データ伝送システムが互いのＩＣカード５のカードＩＤを関連付けて保持、管理しておき、事業者間相互利用に関する一連の試験を行う例を説明する。
【００７１】
なお、本実施形態では、上述した実施形態１と異なる箇所を主に説明し、同一の箇所は説明を省略する。
【００７２】
図９は、実施形態２におけるデータ伝送システムのシステム構成の一例を示す図である。図９に示されるように、データ伝送システムは、試験会場Ａ側に実機である駅務機器３Aと、ＩＣカード読み取り・書き込み装置２Aと、データサーバ１と、ＩＤ管理サーバ４Aと、を含み、試験会場Ｂ側に、実機である駅務機器３Bと、ＩＣカード読み取り・書き込み装置２Bと、ＩＤ管理サーバ４Bと、を含む。また、本実施形態のデータ伝送システムは、試験会場Ａと、試験会場Ｂと、の間に、ＩＤ変換サーバ６を含む。
【００７３】
試験会場Ａでは、駅務機器３A及びＩＣカード５A等を用いて、駅務機能に関する試験等を行う。試験に伴い、駅務機器３AがＩＣカード５Aより読み取ったデータや、書き込んだデータは、各ＩＣカードを識別するカードＩＤ（例えば、カードＩＤ「０００１」）と共に駅務機器３Aより、ＩＤ管理サーバ４Aに送信される。ＩＤ管理サーバ４Aは、各ＩＣカードを識別するカードＩＤ毎に、どの駅務機器がどのようなデータをＩＣカードより読み取ったのか、どの駅務機器がどのようなデータをＩＣカードに書き込んだのか等のデータを保持、管理する。
【００７４】
ＩＣカード読み取り・書き込み装置２Aは、ＩＣカード５Aより、上述したＩＣカードの各エリアに格納されているデータ及びＩＣカード５を識別するカードＩＤを読み取り、読み取ったデータをデータサーバ１に送信する。なお、以下では、上述したＩＣカードの各エリアに格納されている（又は格納されていた）データを単に交通系データという。
【００７５】
データサーバ１は、ＩＣカード読み取り・書き込み装置２Aより交通系データ及びカードＩＤを受け取ると、メモリ等に交通系データを、例えばカードＩＤ毎に保存（又は一時保存）する。また、データサーバ１は、ＩＣカードのステータスも管理する。また、データサーバ１は、ＩＣカードのステータスも管理する。
ここで、交通系データとは、例えば、定期券、ＳＦ券、複合券等を識別する識別子や、購入金額（又は購入金額＋入金金額）から使用金額を差し引いた残金データ、定期券として有効な区間データ、定期券として有効な期間データ、乗車履歴情報等である。
【００７６】
データサーバ１は、受け取った交通系データ（又はそのコピー）を、ＩＣカード読み取り・書き込み装置２Bからの転送要求に応じて、ＩＣカード読み取り・書き込み装置２Bに送信（伝送又は転送）する。ＩＣカード読み取り・書き込み装置２Bは、データサーバ１より受け取った交通系データに基づいて、前記交通系データを、ＩＣカード５AとはカードＩＤの異なるＩＣカード（ＩＣカード５B）の対応する各エリアに書き込む。
【００７７】
ここで、ＩＣカード読み取り・書き込み装置２Bは、前記交通系データを書き込んだＩＣカード５Bより、カードＩＤを読み取り、読み取ったカードＩＤ（例えば、カードＩＤ「０００２」）をデータサーバ１に送信する。データサーバ１は、ＩＣカード読み取り・書き込み装置２Aが交通系データを読み取ったＩＣカード５Aを識別するカードＩＤ（カードＩＤ「０００１」）と、前記交通系データを書き込んだＩＣカード５Bを識別するカードＩＤ（カードＩＤ「０００２」）と、を関連付けてこの関連付け情報をＩＤ変換サーバ６に送信する。ＩＤ変換サーバ６は、ＩＤ変換サーバ６のＨＤ等にこの関連付け情報（より具体的には、例えばカードＩＤ「０００１」及びカードＩＤ「０００２」を組み合わせた情報）を保持し、管理する。なお、データサーバ１が、この関連付け情報を保持、管理し、ＩＤ変換サーバ６等の要求に応じて、例えば要求に含まれるカードＩＤと関連するカードＩＤを要求元のＩＤ変換サーバ６に返すようにしてもよい。但し、本実施形態及び以下に示す実施形態３では、説明の簡略化のため、ＩＤ変換サーバ６がこの関連付け情報を保持、管理するものとして説明を行う。
【００７８】
試験会場Ｂでは、駅務機器３B及びＩＣカード５B等を用いて、駅務機能に関する試験等を行う。試験に伴い、駅務機器３BがＩＣカード５Bより読み取ったデータや、書き込んだデータは、ＩＣカードを識別するカードＩＤ（例えば、カードＩＤ「０００２」）と共に駅務機器３Bより、ＩＤ管理サーバ４Bに送信される。ＩＤ管理サーバ４Bは、ＩＣカードを識別するカードＩＤ毎に、どの駅務機器がどのようなデータをＩＣカードより読み取ったのか、どの駅務機器がどのようなデータをＩＣカードに書き込んだのか等のデータを保持、管理する。
【００７９】
ここで、上述したようにＩＤ管理サーバ４Aは、カードＩＤ「０００１」に基づいて、試験会場Ａで行ったＩＣカード５に対するデータの読み書きに関するデータ（又は試験結果）等を管理している。一方、上述したようにＩＤ管理サーバ４Bは、カードＩＤ「０００２」に基づいて、例えば試験会場Ａに引き続き、試験会場Ｂで行ったＩＣカード５に対するデータの読み書きに関するデータ（又は試験結果）等を管理している。しかしながら、ＩＤ変換サーバ６で、カードＩＤ「０００１」と、カードＩＤ「０００２」と、の関連付け情報を保持、管理している。
【００８０】
そのため、例えば、ＩＤ管理サーバ４BからＩＤ管理サーバ４Aに試験会場Ｂで行ったＩＣカード５に対するデータの読み書きに関するデータ（又は試験結果）等を送信する際に、ＩＤ変換サーバ６を介して、カードＩＤの部分を「０００２」から「０００１」に変換する。このことによって、ＩＤ管理サーバ４AにおいてカードＩＤ「０００１」に基づいて管理しているデータと、ＩＤ管理サーバ４BにおいてカードＩＤ「０００２」に基づいて管理されていたが、ＩＤ変換サーバ６で関連付け情報に基づいてカードＩＤの部分を「０００２」から「０００１」に変換されたデータと、を合わせて、事業者間相互利用に関する一連の試験の試験結果とすることができる。よって、ＩＣカードに関する試験の効率化を図ることができる。
【００８１】
ここで、ＩＤ変換サーバ６のハードウェア構成は、実施形態１の図２に示したデータサーバ１のハードウェア構成と同様である。ＩＤ変換サーバ６のＣＰＵが、ＩＤ変換サーバ６のＨＤ等に記憶されている（又はインストールされている）後述する図１０に示すような機能を実現するプログラムを読み出して、実行することで、関連付け情報を管理したり、データに含まれるカードＩＤを変換したりすることができる。
【００８２】
なお、実施形態２の各装置の機能は、実施形態１で説明した機能について、「ＩＣカード内データ」を、「交通系データ」と適宜読みかえればよいだけであるため、説明を省略する。なお、ＩＣカード読み取り・書き込み装置２の書き込み制御部４３だけ実施形態１と若干機能が異なるため、説明を行う。
【００８３】
本実施形態の書き込み制御部４３（以下、単に書き込み制御部４３という）は、通信制御部４１を介してデータサーバ１より受信した交通系データを受け取ると、アンテナ２６及びＩＣカードリーダ／ライタ２７を介してＩＣカード読み取り・書き込み装置２の読み取り部（アンテナ２６等）にかざされたＩＣカード５に交通系データを書き込む。つまり、書き込み制御部４３は、ＩＣカードを発行するのではなく、カードＩＤの異なるＩＣカード５に対して、受信した交通系データを書き込む。なお、前記エリアにデータが存在していた場合は、書き込み制御部４３は、上書きして受信したデータを書き込む。
【００８４】
次に、ＩＤ変換サーバ６のＣＰＵ、ＲＯＭ、ＲＡＭ、ＨＤ及びプログラム等から構成される、ＩＤ変換サーバ６の機能構成の一例を、図１０に示す。図１０は、ＩＤ変換サーバ６の機能構成の一例を示す図である。
【００８５】
図１０に示されるように、ＩＤ変換サーバ６は、機能構成として、通信制御部７１と、関連付け管理部７２と、変換部７３と、を含む。通信制御部７１は、ＩＤ変換サーバ６の通信装置を介して他の装置（又はネットワーク）等との通信を制御し、関連付け情報を受信したり、ＩＤ管理サーバ４において管理されているデータ（含むカードＩＤ）を受信し、変換部７３に受信したデータを渡したり、変換部７３において変換されたデータを受け取り、受け取ったデータを送信したりする。
【００８６】
関連付け管理部７２は、通信制御部７１を介してデータサーバ１より受信した関連付け情報を、ＩＤ変換サーバ６のＨＤ等に保存し、管理する。変換部７３は、通信制御部７１を介してＩＤ管理サーバ４（例えばＩＤ管理サーバ４B）より受信した、ＩＤ管理サーバ４において管理されているデータ（含むカードＩＤ）のカードＩＤを関連付け管理部７２において管理されている関連付け情報に応じて変換し、変換したデータを、通信制御部７１を介して送信先のＩＤ管理サーバ４（例えばＩＤ管理サーバ４A）に送信する。
【００８７】
以下、実施形態２のデータ伝送システムにおける処理シーケンスの一例を、図１１を用いて説明する。図１１は、実施形態２のデータ伝送システムにおける処理シーケンスの一例を示す図である。
【００８８】
シーケンスＳＱ２０において、駅務機器３Aは、ＩＣカード５Aと通信を行い、駅務処理に関して（又は事業者間相互利用に関する試験に関して）、データの読み取り及び／又は書き込みを行う。なお、図１１では、駅務機器３Aと、ＩＣカード５Aとの通信は１回のように記載しているが、試験に応じて、複数回実施されてもよいし、駅務機器も１つではなく種類の異なる複数の駅務機器であってもよい。
【００８９】
シーケンスＳＱ２１において、駅務機器３Aは、ＩＣカード５Aに書き込んだデータ及び／又はＩＣカード５Aより読み込んだデータをＩＤ管理サーバ４Aに送信する。ＩＤ管理サーバ４AのＩＤ管理部６２は、上述したようにカードＩＤ毎に駅務機器３AがＩＣカード５Aより読み取ったデータ及び／又は駅務機器３AがＩＣカード５Aに書き込んだデータを管理する。
【００９０】
また、シーケンスＳＱ２２において、ＩＣカード読み取り・書き込み装置２Aは、読み取り部にかざされたＩＣカード５Aから交通系データ及びカードＩＤを読み取る。続いて、シーケンスＳＱ２３において、ＩＣカード読み取り・書き込み装置２Aは、ＩＣカード５Aから読み取ったデータをデータサーバ１に送信する。
データサーバ１は、ＩＣカード読み取り・書き込み装置２Aより交通系データ及びカードＩＤを受信すると、カードＩＤ（例えばカードＩＤ「０００１」）に基づいて交通系データを保持（管理）する。なお、初期設定としてカードＩＤ「０００１」の状態が「試験会場Ａ」に設定されていた場合、データサーバ１は、ＩＣカード読み取り・書き込み装置２AよりカードＩＤ「０００１」の交通系データを受信し、保存したときに、カードＩＤ「０００１」のステータスを「試験会場Ａ」から「ネットワーク上」に変更する。
【００９１】
シーケンスＳＱ２４において、データサーバ１は、ＩＣカード読み取り・書き込み装置２Bより、交通系データの転送要求を受信する。なお、前記転送要求には、カードＩＤを識別する識別情報が含まれているものとする。
【００９２】
シーケンスＳＱ２５において、データサーバ１は、前記転送要求を受信すると、転送要求に含まれるカードＩＤ（例えばカードＩＤ「０００１」）に基づいて、このカードＩＤに対応する交通系データ（又はこの交通系データのコピー等）を、要求元のＩＣカード読み取り・書き込み装置２Bに送信する。
【００９３】
シーケンスＳＱ２６において、ＩＣカード読み取り・書き込み装置２Bは、データサーバ１より交通系データを受信すると、受信した旨のレスポンスをデータサーバ１に送信する。
【００９４】
シーケンスＳＱ２７において、データサーバ１は、ＩＣカード読み取り・書き込み装置２Aに対して、ＩＣカード５Aの交通系データを消去する旨の指示（又は要求）を送信する。なお、シーケンスＳＱ２７の処理は、シーケンスＳＱ２５の前に行われてもよい。
【００９５】
シーケンスＳＱ２８において、ＩＣカード読み取り・書き込み装置２Aは、データサーバ１よりＩＣカード５Aの交通系データを消去する旨の指示（又は要求）を受信すると、ＩＣカード５Ａに対して０（ゼロ）又はＮＵＬＬのデータを書き込んでＩＣカード５Aの交通系データを消去し、ＩＣカード５Aを使用禁止とする。なお、ＩＣカード読み取り・書き込み装置２Aは、ＩＣカード５Ａに記憶されている所定のフラグ（又はビット）に、非活性状態であることを示す値を書き込み、ＩＣカード５Aを使用禁止とするようにしてもよい。
【００９６】
シーケンスＳＱ２９において、ＩＣカード読み取り・書き込み装置２Aは、データサーバ１に対して、ＩＣカード５Aの交通系データを消去した旨の情報を送信する。
シーケンスＳＱ３０において、データサーバ１は、ＩＣカード５Aの交通系データを消去した旨の情報をＩＣカード読み取り・書き込み装置２Aより受信すると、ＩＣカード読み取り・書き込み装置２Bに対して、交通系データの書き込みを許可する旨の指示を送信する。
【００９７】
シーケンスＳＱ３１において、ＩＣカード読み取り・書き込み装置２Bは、データサーバ１より交通系データの書き込みを許可する旨の指示を受信し、読み取り部にＩＣカード５Bがかざされると、シーケンスＳＱ２５でデータサーバ１より受信し、保持していた交通系データをＩＣカード５AとはカードＩＤの異なるＩＣカード５Bに書き込む。
【００９８】
また、シーケンスＳＱ３２において、ＩＣカード読み取り・書き込み装置２Bは、交通系データを書き込んだＩＣカード５BよりカードＩＤを読み取る（例えばカードＩＤ「０００２」）。シーケンスＳＱ３３において、ＩＣカード読み取り・書き込み装置２Bは、書き込みが終了した旨の情報と、交通系データを書き込んだＩＣカード５Bを識別するカードＩＤ（例えばカードＩＤ「０００２」）と、をデータサーバ１に送信する。
データサーバ１は、ＩＣカード読み取り・書き込み装置２Bより書き込みが終了した旨の情報を受信すると、例えばカードＩＤ「０００１」のステータスを「ネットワーク上」から「試験会場Ｂ」に変更する。また、シーケンスＳＱ３４において、データサーバ１は、ＩＣカード読み取り・書き込み装置２Bより交通系データを書き込んだＩＣカード５Bを識別するカードＩＤ（例えばカードＩＤ「０００２」）を受信すると、ＩＣカード読み取り・書き込み装置２Aが前記交通系データを含むカード内データを読み取ったＩＣカード５Aを識別するカードＩＤ（例えばカードＩＤ「０００１」）と、ＩＣカード読み取り・書き込み装置２Bが交通系データを書き込んだＩＣカード５Bを識別するカードＩＤ（例えばカードＩＤ「０００２」）と、を関連付けて、関連付け情報としてＩＤ変換サーバ６に送信する。
【００９９】
シーケンスＳＱ３５において、駅務機器３Bは、ＩＣカード５Bと通信を行い、駅務処理に関して（又は事業者間相互利用に関する試験に関して）、データの読み取り及び／又は書き込みを行う。なお、図１１では、駅務機器３Bと、ＩＣカード５Bとの通信は１回のように記載しているが、試験に応じて、複数回実施されてもよいし、駅務機器も１つではなく種類の異なる複数の駅務機器であってもよい。
【０１００】
シーケンスＳＱ３６において、駅務機器３Bは、ＩＣカード５Bに書き込んだデータ及び／又はＩＣカード５Bより読み込んだデータをＩＤ管理サーバ４Bに送信する。ＩＤ管理サーバ４BのＩＤ管理部６２は、上述したようにカードＩＤ毎に駅務機器３BがＩＣカード５Bより読み取ったデータ及び／又は駅務機器３BがＩＣカード５Bに書き込んだデータを管理する。
【０１０１】
シーケンスＳＱ３７において、ＩＤ管理サーバ４Bは、例えばＩＤ管理サーバ４Aからの要求に応じて（又は予め定められた時間間隔等に基づいて）、カードＩＤ毎に保持、管理している駅務機器３BがＩＣカード５Bより読み取ったデータ及び／又は駅務機器３BがＩＣカード５Bに書き込んだデータの内、要求された（又は予め定められた）カードＩＤ（ここでは、説明のためカードＩＤ「０００２」とする）に対応する、データを、カードＩＤと共にＩＤ変換サーバ６に送信する。
【０１０２】
ＩＤ変換サーバ６は、カードＩＤと共に、駅務機器３BがＩＣカード５Bより読み取ったデータ及び／又は駅務機器３BがＩＣカード５Bに書き込んだデータを受信する。すると、ＩＤ変換サーバ６は、前記カードＩＤに基づいて、シーケンスＳＱ３４において受信し、ＩＤ変換サーバ６のＨＤ等に保持していた関連付け情報を検索し、前記カードＩＤ（カードＩＤ「０００２」）に関連付けられているカードＩＤ（カードＩＤ「０００１」）を抽出する。ＩＤ変換サーバ６は、カードＩＤ「０００２」と、抽出したカードＩＤ「０００１」と、を用いて、駅務機器３BがＩＣカード５Bより読み取ったデータ及び／又は駅務機器３BがＩＣカード５Bに書き込んだデータに含まれるカードＩＤ「０００２」の部分を、カードＩＤ「０００１」に変換する。
【０１０３】
シーケンスＳＱ３８において、ＩＤ変換サーバ６は、カードＩＤの部分を変換した、駅務機器３BがＩＣカード５Bより読み取ったデータ及び／又は駅務機器３BがＩＣカード５Bに書き込んだデータを、変換したカードＩＤ「０００１」と共にＩＤ管理サーバ４Aに送信する。
【０１０４】
ここで、ＩＤ管理サーバ４Aは、例えばカードＩＤ「０００１」で駅務機器３AがＩＣカード５Aより読み取ったデータ及び／又は駅務機器３AがＩＣカード５Aに書き込んだデータを管理している。また、ＩＤ変換サーバ６から送信される、駅務機器３BがＩＣカード５Bより読み取ったデータ及び／又は駅務機器３BがＩＣカード５Bに書き込んだデータもこれらに含まれるカードＩＤは「０００１」である。よって、ＩＤ管理サーバ４Aは、これら駅務機器３BがＩＣカード５Bより読み取ったデータ及び／又は駅務機器３BがＩＣカード５Bに書き込んだデータもカードＩＤ「０００１」で管理することができる。したがって、ＩＤ管理サーバ４Aは、これら二つのデータを合わせて、事業者間相互利用に関する一連の試験の試験結果とすることもできる。よって、ＩＣカードに関する試験の効率化を図ることができる。
【０１０５】
＜実施形態３＞
実施形態２では、試験会場Ａと、試験会場Ｂと、の間に、ＩＤ変換サーバ６が存在し、例えば、試験会場Ｂ側のデータを試験会場Ａ側に送信する際に、一括してＩＤ変換サーバ６で関連付けがなされているカードＩＤの変換を行う例を説明した。本実施形態では、ＩＤ変換サーバ６が、例えば、試験会場Ｂの駅務機器３Bと、ＩＤ管理サーバ４Bと、の間に存在し、駅務機器３BがＩＣカード５Bより読み取ったデータや、書き込んだデータをＩＤ変換サーバ６に送信し、ＩＤ変換サーバ６で関連付け情報に基づいてカードＩＤを変換し、変換後のデータをＩＤ管理サーバ４Bに送信する例を説明する。
【０１０６】
なお、本実施形態では、上述した実施形態２と異なる箇所を主に説明し、同一の箇所は説明を省略する。
【０１０７】
図１２は、実施形態３におけるデータ伝送システムのシステム構成の一例を示す図である。図１２に示されるように、データ伝送システムは、試験会場Ａ側に実機である駅務機器３Aと、ＩＣカード読み取り・書き込み装置２Aと、データサーバ１と、ＩＤ管理サーバ４Aと、を含み、試験会場Ｂ側に、実機である駅務機器３Bと、ＩＣカード読み取り・書き込み装置２Bと、ＩＤ変換サーバ６と、ＩＤ管理サーバ４Bと、を含む。
【０１０８】
試験会場Ａでは、駅務機器３A及びＩＣカード５A等を用いて、駅務機能に関する試験等を行う。試験に伴い、駅務機器３AがＩＣカード５Aより読み取ったデータや、書き込んだデータは、各ＩＣカードを識別するカードＩＤ（例えば、カードＩＤ「０００１」）と共に駅務機器３Aより、ＩＤ管理サーバ４Aに送信される。ＩＤ管理サーバ４Aは、各ＩＣカードを識別するカードＩＤ毎に、どの駅務機器がどのようなデータをＩＣカードより読み取ったのか、どの駅務機器がどのようなデータをＩＣカードに書き込んだのか等のデータを保持、管理する。
【０１０９】
ＩＣカード読み取り・書き込み装置２Aは、ＩＣカード５Aより、交通系データ及びＩＣカード５を識別するカードＩＤを読み取り、読み取ったデータをデータサーバ１に送信する。
データサーバ１は、ＩＣカード読み取り・書き込み装置２Aより交通系データ及びカードＩＤを受け取ると、メモリ等に交通系データを、例えばカードＩＤ毎に保存（又は一時保存）する。また、データサーバ１は、ＩＣカードのステータスも管理する。
【０１１０】
データサーバ１は、受け取った交通系データ（又はそのコピー）をＩＣカード読み取り・書き込み装置２Bに送信（伝送又は転送）する。ＩＣカード読み取り・書き込み装置２Bは、データサーバ１より受け取った交通系データに基づいて、前記交通系データを、ＩＣカード５AとはカードＩＤの異なるＩＣカード（ＩＣカード５B）の対応する各エリアに書き込む。
【０１１１】
ここで、ＩＣカード読み取り・書き込み装置２Bは、前記交通系データを書き込んだＩＣカード５Bより、カードＩＤを読み取り、読み取ったカードＩＤ（例えば、カードＩＤ「０００２」）をデータサーバ１に送信する。データサーバ１は、ＩＣカード読み取り・書き込み装置２Aが交通系データを読み取ったＩＣカード５Aを識別するカードＩＤ（カードＩＤ「０００１」）と、前記カード内データに含まれる交通系データを書き込んだＩＣカード５Bを識別するカードＩＤ（カードＩＤ「０００２」）と、を関連付けてこの関連付け情報をＩＤ変換サーバ６に送信する。ＩＤ変換サーバ６は、ＩＤ変換サーバ６のＨＤ等にこの関連付け情報を保持し、管理する。
【０１１２】
試験会場Ｂでは、駅務機器３B及びＩＣカード５B等を用いて、駅務機能に関する試験等を行う。試験に伴い、駅務機器３BがＩＣカード５Bより読み取ったデータや、書き込んだデータは、ＩＣカードを識別するカードＩＤ（例えば、カードＩＤ「０００２」）と共に駅務機器３Bより、ＩＤ変換サーバ６に送信される。ＩＤ変換サーバ６は、関連付け情報に基づいて、駅務機器３Ｂより受けとったデータに含まれるカードＩＤ「０００２」をカードＩＤ「０００１」に変換して、変換後のデータを、ＩＤ管理サーバ４Bに送信する。
【０１１３】
ＩＤ管理サーバ４Bは、ＩＣカードを識別するカードＩＤ毎に、どの駅務機器がどのようなデータをＩＣカードより読み取ったのか、どの駅務機器がどのようなデータをＩＣカードに書き込んだのか等のデータを保持、管理する。
【０１１４】
ここで、上述したようにＩＤ管理サーバ４Aは、カードＩＤ「０００１」に基づいて、試験会場Ａで行ったＩＣカード５に対するデータの読み書きに関するデータ（又は試験結果）等を管理している。一方、上述したようにＩＤ管理サーバ４Bも、カードＩＤ「０００１」に基づいて、例えば試験会場Ａに引き続き、試験会場Ｂで行ったＩＣカード５に対するデータの読み書きに関するデータ（又は試験結果）等を管理している。したがって、これら二つのデータを合わせて、事業者間相互利用に関する一連の試験の試験結果とすることができる。よって、ＩＣカードに関する試験の効率化を図ることができる。
【０１１５】
以下、実施形態３のデータ伝送システムにおける処理シーケンスの一例を、図１３を用いて説明する。図１３は、実施形態３のデータ伝送システムにおける処理シーケンスの一例を示す図である。なお、シーケンスＳＱ４０〜シーケンスＳＱ５３は、実施形態２の図１１のシーケンスＳＱ２０〜シーケンスＳＱ３３と同様であるため説明を省略する。
【０１１６】
シーケンスＳＱ５４において、データサーバ１は、ＩＣカード読み取り・書き込み装置２Bより交通系データを書き込んだＩＣカード５Bを識別するカードＩＤ（例えばカードＩＤ「０００２」）を受信すると、ＩＣカード読み取り・書き込み装置２Aが前記交通系データを含むカード内データを読み取ったＩＣカード５Aを識別するカードＩＤ（例えばカードＩＤ「０００１」）と、ＩＣカード読み取り・書き込み装置２Bが交通系データを書き込んだＩＣカード５Bを識別するカードＩＤ（例えばカードＩＤ「０００２」）と、を関連付けて、関連付け情報としてＩＤ変換サーバ６に送信する。
【０１１７】
シーケンスＳＱ５５において、駅務機器３Bは、ＩＣカード５Bと通信を行い、駅務処理に関して（又は事業者間相互利用に関する試験に関して）、データの読み取り及び／又は書き込みを行う。なお、図１３では、駅務機器３Bと、ＩＣカード５Bとの通信は１回のように記載しているが、試験に応じて、複数回実施されてもよいし、駅務機器も１つではなく種類の異なる複数の駅務機器であってもよい。
【０１１８】
シーケンスＳＱ５６において、駅務機器３Bは、ＩＣカード５Bに書き込んだデータ及び／又はＩＣカード５Bより読み込んだデータをＩＤ変換サーバ６に送信する。ＩＤ変換サーバ６は、駅務機器３Bより受信したデータに含まれるカードＩＤ（カードＩＤ「０００２」）に基づいて、シーケンスＳＱ５４において受信し、ＩＤ変換サーバ６のＨＤ等に保持していた関連付け情報を検索し、前記カードＩＤ（カードＩＤ「０００２」）に関連付けられているカードＩＤ（カードＩＤ「０００１」）を抽出する。ＩＤ変換サーバ６は、カードＩＤ「０００２」と、抽出したカードＩＤ「０００１」と、を用いて、駅務機器３BがＩＣカード５Bより読み取ったデータ及び／又は駅務機器３BがＩＣカード５Bに書き込んだデータに含まれるカードＩＤ「０００２」の部分を、カードＩＤ「０００１」に変換する。
【０１１９】
そして、シーケンスＳＱ５７において、ＩＤ変換サーバ６は、変換後のデータ、つまりカードＩＤの部分が「０００２」から「０００１」に変換された、駅務機器３BがＩＣカード５Bより読み取ったデータ及び／又は駅務機器３BがＩＣカード５Bに書き込んだデータ、をＩＤ管理サーバ４Bに送信する。ＩＤ管理サーバ４BのＩＤ管理部６２は、上述したようにカードＩＤ毎に駅務機器３BがＩＣカード５Bより読み取ったデータ及び／又は駅務機器３BがＩＣカード５Bに書き込んだデータを管理する。よって、この場合、ＩＤ管理サーバ４BのＩＤ管理部６２は、カードＩＤ「０００１」に基づいて、駅務機器３BがＩＣカード５Bより読み取ったデータ及び／又は駅務機器３BがＩＣカード５Bに書き込んだデータを管理する。
【０１２０】
シーケンスＳＱ５８において、ＩＤ管理サーバ４Bは、カードＩＤの部分が「０００２」から「０００１」に変換された、駅務機器３BがＩＣカード５Bより読み取ったデータ及び／又は駅務機器３BがＩＣカード５Bに書き込んだデータを、変換されたカードＩＤ「０００１」と共にＩＤ管理サーバ４Aに送信する。
【０１２１】
ここで、ＩＤ管理サーバ４Aは、例えばカードＩＤ「０００１」で駅務機器３AがＩＣカード５Aより読み取ったデータ及び／又は駅務機器３AがＩＣカード５Aに書き込んだデータを管理している。また、ＩＤ変換サーバ６から送信される、駅務機器３BがＩＣカード５Bより読み取ったデータ及び／又は駅務機器３BがＩＣカード５Bに書き込んだデータもこれらに含まれるカードＩＤは「０００１」である。よって、ＩＤ管理サーバ４Aは、これら駅務機器３BがＩＣカード５Bより読み取ったデータ及び／又は駅務機器３BがＩＣカード５Bに書き込んだデータもカードＩＤ「０００１」で管理することができる。したがって、ＩＤ管理サーバ４Aは、これら二つのデータを合わせて、事業者間相互利用に関する一連の試験の試験結果とすることもできる。よって、ＩＣカードに関する試験の効率化を図ることができる。
【０１２２】
以上、上述した各実施形態によれば、ＩＣカードに関する試験の効率化を図ることができる。
【０１２３】
以上、本発明の好ましい実施形態について詳述したが、本発明は係る特定の実施形態に限定されるものではなく、特許請求の範囲に記載された本発明の要旨の範囲内において、種々の変形・変更が可能である。
例えば、上述した実施形態では、試験会場Ａ及び試験会場Ｂの二つの試験会場を例に説明を行ったが、上述した実施形態はこれらに限定されるものではなく、二つ以上の試験会場においても適用可能であり、より、ＩＣカードに関する試験の効率化を図ることができる。
【図面の簡単な説明】
【０１２４】
【図１】実施形態１におけるデータ伝送システムのシステム構成の一例を示す図である。
【図２】データサーバ１のハードウェア構成の一例を示す図である。
【図３】ＩＣカード読み取り・書き込み装置のハードウェア構成の一例を示す図である。
【図４】駅務機器（自動改札機）３のハードウェア構成の一例を示す図である。
【図５】データサーバの機能構成の一例を示す図である。
【図６】ＩＣカード読み取り・書き込み装置の機能構成の一例を示す図である。
【図７】ＩＤ管理サーバの機能構成の一例を示す図である。
【図８】実施形態１のデータ伝送システムにおける処理シーケンスの一例を示す図である。
【図９】実施形態２におけるデータ伝送システムのシステム構成の一例を示す図である。
【図１０】ＩＤ変換サーバ６の機能構成の一例を示す図である。
【図１１】実施形態２のデータ伝送システムにおける処理シーケンスの一例を示す図である。
【図１２】実施形態３におけるデータ伝送システムのシステム構成の一例を示す図である。
【図１３】実施形態３のデータ伝送システムにおける処理シーケンスの一例を示す図である。
【符号の説明】
【０１２５】
１    データサーバ
２    ＩＣカード読み取り・書き込み装置
３    駅務機器
４    ＩＤ管理サーバ
５    ＩＣカード
６    ＩＤ変換サーバ
１０  ＲＯＭ
１１  ＲＡＭ
１２  ＨＤ
１３  ＣＰＵ
１４  通信装置
２０  ＲＯＭ
２１  ＲＡＭ
２２  ＨＤ
２３  ＣＰＵ
２４  表示装置
２５  入力装置
２６  アンテナ
２７  ＩＣカードリーダ／ライタ
２８  通信装置
３０  ＲＯＭ
３１  ＲＡＭ
３２  ＣＰＵ
３３  表示装置
３４  アンテナ
３５  ＩＣカードリーダ／ライタ
３６  通信装置
４１  通信制御部
４２  読み取り制御部
４３  書き込み制御部
４４  表示制御部
５１  通信制御部
５２  データ管理部
５３  保存部
５４  状態管理部
６１  通信制御部
６２  ＩＤ管理部
７１  通信制御部
７２  関連付け管理部
７３  変換部
【図１】
2008225890.tif 000003
【図２】
2008225890.tif 000004
【図３】
2008225890.tif 000005
【図４】
2008225890.tif 000006
【図５】
2008225890.tif 000007
【図６】
2008225890.tif 000008
【図７】
2008225890.tif 000009
【図８】
2008225890.tif 000010
【図９】
2008225890.tif 000011
【図１０】
2008225890.tif 000012
【図１１】
2008225890.tif 000013
【図１２】
2008225890.tif 000014
【図１３】
2008225890.tif 000015